(57)【要約】【課題】２次元アレイ超音波探触子の感度を向上させる。【解決手段】送受信共用素子１０は、振動素子の２次元アレイの中から所定のスパースパターンに従って選ばれる。超音波送信時には、送受信共用素子１０と共に、その送受信共用素子１０の周囲の８個の送信専用素子１２を同時に駆動する。これにより、送受信共用素子１０を１個だけ駆動する場合の９倍の送信音圧の超音波が送信される。これに対し、超音波受信時には、送信専用素子１２の受信信号は遮断し、送受信共用素子１０のみで受信を行う。これにより、開口が大きくなることによるレンジ方向分解能やサイドローブ特性の劣化を回避できる。【選択図】図１
2005040376.tif 000002
【特許請求の範囲】
【請求項１】
振動素子の２次元アレイを有する２次元アレイ超音波探触子であって、前記２次元アレイの振動素子のうち所定のスパースパターンに従って選ばれるものを中心振動素子とし、該中心振動素子の周囲の複数の振動素子を該中心振動素子に対応する周辺振動素子とした場合、超音波送信時には前記中心振動素子に対応する複数の周辺振動素子を駆動して送信を行い、超音波受信時には前記周辺振動素子群は用いずに中心振動素子により受信を行う、２次元アレイ超音波探触子。
【請求項２】
請求項１記載の２次元アレイ超音波探触子であって、超音波送信時には、前記中心振動素子とこれに対応する複数の周辺振動素子とを共に駆動して送信を行うことを特徴とする２次元アレイ超音波探触子。
【請求項３】
請求項１記載の２次元アレイ超音波探触子であって、
超音波診断装置本体と前記中心振動素子とを電気的に接続する第１信号線と、
前記中心振動素子に対応する複数の周辺振動素子に接続された第２信号線と、
超音波送信時には前記第２信号線を前記第１信号線と接続することにより前記周辺振動素子を超音波診断装置本体に電気的に接続し、超音波受信時には前記第２信号線と前記第１信号線の接続を遮断することで前記周辺振動素子と前記超音波診断装置との電気的な接続を遮断するスイッチと、
を備える２次元アレイ超音波探触子。
【請求項４】
請求項１記載の２次元アレイ超音波探触子であって、前記中心振動素子は受信用信号線により超音波診断装置本体の受信回路に電気的に接続され、前記周辺振動素子は前記受信回路には電気的に接続されないで送信用信号線により前記超音波診断装置本体の送信回路に電気的に接続されることを特徴とする２次元アレイ超音波探触子。
【請求項５】
請求項４記載の２次元アレイ超音波探触子であって、
前記中心振動素子は送信用信号線により前記超音波診断装置本体の送信回路に接続されており、
該送信用信号線には、前記送信回路からの送信信号は前記中心振動素子へと通過させるが、前記中心振動素子で発生した受信信号が前記送信回路に伝達されることは実質的に阻止する信号制御手段が設けられることを特徴とする２次元アレイ超音波探触子。
【請求項６】
請求項５記載の２次元アレイ超音波探触子であって、前記信号制御手段はダイオードであることを特徴とする２次元アレイ超音波探触子。
【発明の詳細な説明】
【技術分野】
【０００１】
本発明は、振動素子の２次元アレイを有する２次元アレイ超音波探触子に関する。
【背景技術】
【０００２】
振動素子を２次元配列した２次元アレイ超音波探触子の開発が進んでいる。２次元アレイ超音波探触子の振動素子は、１次元アレイ超音波探触子の振動素子よりも微細なものとなるため、感度が非常に低い。このため、振動素子で受信した信号が信号ケーブルを通って超音波診断装置の本体に伝達するまでに減衰し、ノイズ内に埋もれてしまう。これは、２次元アレイ超音波探触子の開発の上で大きな問題となっている。
【０００３】
これに対し、２次元アレイ超音波探触子の感度を向上させる方法としては、次のような方法が知られている。
（１）超音波送信のための印加電圧を大きくする
（２）超音波探触子のチャンネル数を増やす
（３）振動素子の送受信面積を大きくする
（４）超音波探触子内に振動素子毎に増幅器を内蔵し、振動素子の受信信号をその増幅器で増幅してから超音波診断装置本体に伝送する
【０００４】
また、２次元アレイ超音波探触子に直接関係するものではないが、特許文献１には、圧電体と樹脂とを複合化した振動素子において、振動する圧電体と非振動の圧電体の電気インピーダンスを調節することで振動素子の電気インピーダンスを低下させ、振動素子の受信感度を高める点が示されている。
【０００５】
しかしながら、上記（１）の方法では、１次元超音波探触子の場合の数倍の電圧を振動素子に印加する必要があるため、振動素子の耐久性等の点で問題がある。
【０００６】
また（２）の方法では、チャンネル数の増大により超音波探触子や超音波診断装置の構造が複雑化、大規模化するため、コスト高を招くという問題がある。
【０００７】
また（３）の方法は、送受信共用の振動素子に適用した場合、面積増大によりレンジ方向の分解能が悪化するという問題がある。
【０００８】
また（４）の方法は、超音波探触子の先端にチャンネル数分の増幅回路や保護回路を内蔵する必要があるため、超音波探触子の小型化が困難である。また、コスト高につながるという問題もある。
【０００９】
また、特許文献１に記載の方法を２次元アレイ超音波探触子に適用しようとすると、振動素子を構成する個々の圧電体や樹脂部材が非常に微細なものとなり、加工が非常に困難になる。
【００１０】
【特許文献１】特開平１０−０５６６９０号公報
【発明の開示】
【発明が解決しようとする課題】
【００１１】
本発明は、上記各従来技術の問題を解決した２次元アレイ超音波探触子を提供することを目的とする。
【課題を解決するための手段】
【００１２】
本発明に係る２次元アレイ超音波探触子は、振動素子の２次元アレイを有する２次元アレイ超音波探触子であって、前記２次元アレイの振動素子のうち所定のスパースパターンに従って選ばれるものを中心振動素子とし、該中心振動素子の周囲の複数の振動素子を該中心振動素子に対応する周辺振動素子とした場合、超音波送信時には前記中心振動素子に対応する複数の周辺振動素子を駆動して送信を行い、超音波受信時には前記周辺振動素子群は用いずに中心振動素子により受信を行う。
【００１３】
この構成では、超音波送信時には、中心振動素子に対応する複数の周辺振動素子が駆動されることにより、スパース配置された中心振動素子のみを駆動する場合よりも、同じ駆動電圧で高い送信音圧の超音波が送信される。
【００１４】
本発明の好適な態様では、２次元アレイ超音波探触子は、超音波送信時には、前記中心振動素子とこれに対応する複数の周辺振動素子とを共に駆動して送信を行う。
【００１５】
本発明の別の好適な態様では、２次元アレイ超音波探触子は、超音波診断装置本体と前記中心振動素子とを電気的に接続する第１信号線と、前記中心振動素子に対応する複数の周辺振動素子に接続された第２信号線と、超音波送信時には前記第２信号線を前記第１信号線と接続することにより前記周辺振動素子を超音波診断装置本体に電気的に接続し、超音波受信時には前記第２信号線と前記第１信号線の接続を遮断することで前記周辺振動素子と前記超音波診断装置との電気的な接続を遮断するスイッチと、を備える。
【００１６】
この態様に係る２次元アレイ超音波探触子では、超音波送信時には第１信号線及びこれに接続された第２信号線を介し、中心振動素子とこれに対応する周辺振動素子群が共に駆動され、超音波受信時には第２信号線が遮断されているので中央振動素子の受信信号のみが第１信号線を介して超音波診断装置本体に伝達される。
【００１７】
本発明に更に別の態様では、２次元アレイ超音波探触子において、前記中心振動素子は受信用信号線により超音波診断装置本体の受信回路に電気的に接続され、前記周辺振動素子は前記受信回路には電気的に接続されないで送信用信号線により前記超音波診断装置本体の送信回路に電気的に接続される。
【００１８】
この態様では、超音波送信時には送信用信号線を介して送信回路から各周辺振動素子に送信信号が供給され、超音波受信時には中心振動素子が発生した受信信号のみが受信用信号線を介して受信回路に伝達される。
【００１９】
この態様において更に好適には、前記中心振動素子は送信用信号線により前記超音波診断装置本体の送信回路に接続されており、該送信用信号線には、前記送信回路からの送信信号は前記中心振動素子へと通過させるが、前記中心振動素子で発生した受信信号が前記送信回路に伝達されることは実質的に阻止する信号制御手段が設けられる。
【００２０】
この態様では、超音波送信時には、送信回路からの送信信号が信号制御手段を通って中心振動素子とこれに対応する周辺振動素子群が共に駆動される。一方、超音波受信時には、信号制御手段の作用により、受信信号が中心振動素子から送信回路に伝達されるのが妨げられるので、微弱な受信信号が送信回路側に漏れることを実質的に防止でき、受信信号が受信回路へと効率的に伝達される。
【００２１】
この信号制御手段としては、例えばダイオードを用いることができる。ダイオードを用いた場合、能動的なスイッチング制御が不要である。
【発明の効果】
【００２２】
本発明によれば、超音波送信時には中心振動素子に対応する複数の周辺振動素子を駆動することにより、個々の振動素子への印加電圧を上げることなく送信音圧を増大させ、超音波探触子の感度を向上させることができる。また、受信時には中心振動素子のみにより受信を行うので、レンジ方向分解能の劣化やサイドローブ増大という問題を回避することができる。
【発明を実施するための最良の形態】
【００２３】
以下、本発明の実施の形態（以下実施形態という）について、図面に基づいて説明する。
【００２４】
図１は、本発明に係る２次元アレイ超音波探触子のアレイ構成の一例を示す図である。この図に示すように、本実施形態では、正方マトリクス状の２次元アレイにおいて、縦横にそれぞれ２個おきの振動素子を送受信共用の振動素子（送受信共用素子１０）として用いる。特許請求の範囲の「中心振動素子」の一例がこの送受信共用素子１０である。この送受信共用素子１０の配列は、スパースアレイの一種のレギュラー・スパースアレイと呼ばれるものに該当する。
【００２５】
周知のようにスパースアレイは、２次元アレイの中のうち送信や受信に用いる振動素子を限定し、他の振動素子は送受信に用いないようにすることで送受信に使用する振動素子の数を減らしている。これにより、信号線の数や送受信回路の規模を減らすことができるという利点がある（例えば特開２０００−３２５３４３号公報参照）。
【００２６】
ただし、図１のアレイでは、スパース配列された送受信共用素子１０を取り囲む近傍の８個の振動素子を送信専用の振動素子（送信専用素子１２）として用いる点で、従来の一般的なスパースアレイとは異なる。すなわち、図１の２次元アレイでは、送信時には送受信共用素子１０とその周囲の８個の送信専用素子１２とを合わせた３×３の９個の素子群（図１で太線枠で示す。以下、同時駆動グループ１５とよぶ）を同時に駆動し、受信時には送受信共用素子１０のみを用いて受信を行う。特許請求の範囲の「周辺振動素子」の一例がこの送信専用素子１２である。
【００２７】
図２は、本実施形態の超音波探触子の回路構成の一例を説明するための図である。この構成では、送受信共用素子１０は信号線２０により超音波診断装置本体に接続されている。送受信共用素子１０の周囲の８個の送信専用素子１２は、共通の信号線２２に接続されており、この信号線２２はスイッチ２４を介して信号線２０に接続されている。スイッチ２４は、超音波診断装置本体と接続された制御信号線２６からの制御信号により開閉制御される。このスイッチ２４は、トランジスタなどのスイッチング素子を用いて構成することができる。
【００２８】
すなわち、図２の構成では、超音波送信時には、超音波診断装置本体は、制御信号線２６への制御信号によりスイッチ２４をオン（閉）するとともに、信号線２０に対して送信パルス信号を送信する。これにより、送受信共用素子１０とこの周囲の８個の送信専用素子１２が同時に駆動され、超音波が発せられる。
【００２９】
ここで、送受信共用素子１０及び送信専用素子１２は共に電圧駆動であるため、それらを同じ駆動電圧で駆動すると、同時駆動した素子の個数分の送信パワーを得ることができる。このように本実施形態によれば、超音波送信を送受信共用素子１０のみで行う構成と等価な従来のスパースアレイに比べて、送信超音波のパワーを９倍とすることができる。これにより、被検体内からのエコーの強度を強めることができるので、受信感度を向上させることができる。
【００３０】
一方、超音波受信時には、超音波診断装置本体は、制御信号線２６への制御信号によりスイッチ２４をオフ（開）した上で、被検体内からのエコーを受信する。これにより、送受信共用素子１０で受信されたエコー信号のみが超音波診断装置本体に伝わる。
【００３１】
すなわち、この構成では、受信時には送受信共用素子１０のみでエコー受信を行うため、上述の（３）の従来技術におけるレンジ方向分解能の低下といった問題を回避することができる。
【００３２】
また、仮に複数の振動素子を単に１つの信号線に接続するだけの構成でも送信パワーの増大という効果は得られるが、この構成では開口の増大に伴ってビーム指向性が劣化し、ビーム偏向角が大きくなるとサイドローブが高くなってしまうという問題がある。これに対し、本実施形態の構成では、受信時には周囲の送信専用素子との接続を遮断し、１つの送受信共用素子１０のみで受信するので、そのようなサイドローブの悪化を軽減できる。
【００３３】
以上説明したように、図１及び図２に示した実施形態によれば、送信時には同時駆動グループの振動素子群を電気的に接続して同時駆動することにより、少ない制御チャンネルで大きな送信音圧を得ることができる。また、受信時にはそれら同時駆動グループ１５の中の送受信共用素子１０のみによりエコーを受信するので、レンジ方向分解能やサイドローブ特性の悪化を軽減することができる。また、本実施形態では、超音波探触子と超音波診断装置本体をつなぐ信号ケーブルには、１チャンネル（すなわち送受信共用素子１０とこれに対応する送信専用素子１２群からなる１グループ）当たり信号線２０と制御信号線２６の２本を設けるだけでよいので、信号線の本数の増大を押さえることができる。
【００３４】
図３は、本実施形態の超音波探触子の回路構成の別の一例を説明するための図である。図２の構成では、送信時に使用する振動素子と受信時に使用する振動素子とをスイッチ２４を用いて切り換えたのに対し、図３の構成ではそのようなスイッチを使用せずに、図２と同等の機能を実現する。
【００３５】
図３の回路構成において、４つの送信専用素子１２は、２次元アレイにおいて送受信共用素子１０の周囲に位置する振動素子であり、超音波送信時には送受信共用素子１０と同時に駆動される。これら５つの振動素子１０及び１２からなるグループに対して、送信信号用の信号線４０と受信信号用の信号線４２とがそれぞれ１本ずつ設けられ、それら信号線４０と４２によりそのグループと超音波診断装置本体とが接続されている。
【００３６】
超音波診断装置本体の送信回路から延びる送信信号用の信号線４０は、超音波探触子内で５つに分岐し、それら５つの分岐線がそれぞれダイオードユニット３０を介して送受信共用素子１０又は送信専用素子１２の１つに接続される。ダイオードユニット３０は、２つのダイオード３２及び３４を互いに逆向きに並列接続したものである。送信パルス信号のうち正極性の部分はダイオード３２を、負極性の部分はダイオード３４を通って、それぞれ対応する素子１０又は１２に伝達される。
【００３７】
一方、超音波診断装置本体から延びる受信信号用の信号線４２は、ダイオードユニット３０を介さずに送受信共用素子１０に接続される。送受信共用素子１０は、被検体内からのエコーを電気的な受信信号に変換し、その受信信号は信号線４２を介して超音波診断装置本体の受信回路に伝達される。
【００３８】
なお、送信専用素子１２も、被検体内からのエコーを受信して電気的な受信信号に変換するが、この受信信号は微弱であるため、逆極性のダイオードを通過できないのはもちろんのこと、順極性のダイオードをオンすることもできないので、ダイオードユニット３０を通過できない。このため、超音波診断装置本体には、送信専用素子１２のエコー受信信号は伝達されず、送受信共用素子１０の受信信号のみが信号線４２を介して伝達されることになる。このように、ダイオードユニット３０は、正負いずれの極性の送信パルス信号も通しつつ、エコー受信信号を遮断することができる。なお、各振動素子１０及び１２に対し、正負一方の極性の送信パルス信号を伝達すれば足りる場合は、ダイオードユニット３０の代わりに、当該一方の極性の信号を通す向きのダイオードのみを設ければよい。
【００３９】
また、送受信共用素子１０と送信用の信号線４０との間に設けられたダイオードユニット３０によれば、送受信共用振動素子１０で発生した微弱な受信信号が、超音波診断装置本体の送信回路や送信専用素子１２の側に漏れ込むのを実質的に阻止することができるので、受信信号は超音波診断装置本体の受信回路へと効率的に伝達される。
【００４０】
このように、図３の回路構成でも、送信時には近接する振動素子群が同時に駆動され、受信時にはそれら振動素子群の中の送受信共用素子１０のみで受信を行う構成が実現できる。この構成では、超音波探触子と超音波診断装置本体とを結ぶ信号ケーブルには、送受信共用素子１０とこれに対応する送信専用素子１２群とからなるグループごとに、送信用の信号線４０と受信用の信号線４２の２つの信号線を設けるだけでよいので、信号線の数の増大を抑え、信号ケーブルをコンパクト化することができる。
【００４１】
なお、以上の説明では、図３の回路構成において、送信用の信号線４０が超音波探触子内で分岐した分岐線上にそれぞれダイオードユニット３０を設けたが、送信専用素子１２は超音波診断装置本体の受信回路には直接電気的に接続されていないので、送信専用素子１２への分岐線上のダイオードユニット３０は省略することもできる（これら省略可能なダイオードユニット３０群は、図では破線で囲んで明示している）。すなわち、このような省略を行った場合でも、送信専用素子１２が超音波を受信することにより発生した電気信号（これも送信信号に比べて遙かに微弱である）は、送受信共用素子１０への分岐線上に設けられたダイオードユニット３０によって、受信用の信号線４２に回り込むことを阻止されるので、送受信共用素子１０が発生した受信信号に悪影響を与えることがない。ただし、図３の構成では、各送信専用素子１２にもダイオードユニット３０を設けることで、送受信共用素子１０及び各送信専用素子１２の電気的な特性を揃えることができる。
【００４２】
次に、本実施形態の２次元アレイにおいて送信ディレイ制御を行う場合の回路構成を、図４Ａ及び図４Ｂを参照して説明する。
【００４３】
まず図４Ａを参照して、アナログ方式による送信ディレイ制御のための回路構成を説明する。図４Ａに示す回路構成は、図３に示した回路構成において送信信号用の信号線４０が各振動素子１０及び１２に分岐した各分岐信号線４１上に、それぞれディレイライン５０を設けたものである。各ディレイライン５０は、その先に接続されている振動素子１０又は１２に対応する遅延量だけ送信信号を遅延させる。ディレイライン５０として、ＣＣＤ（電荷結合素子）や、制御電圧に応じて静電容量が可変のＶＲＣ（バリキャップコンデンサ）を用いることもできる。各ディレイライン５０には、制御信号線５２から制御信号が供給されており、この制御信号に応じて各ディレイライン５０の遅延量が制御される。ディレイライン５０としてＣＣＤを用いる場合は、制御信号としてクロックと数ビット程度のサイズのデジタル制御信号が供給される。また、ディレイライン５０としてＶＲＣを用いる場合は、制御信号としてアナログの電圧信号が供給される。制御信号線５２は、各ディレイライン５０に対し、それぞれ個別に制御信号を供給できる構成となっている。
【００４４】
次に、図４Ｂを参照して、デジタル方式による送信ディレイ制御のための回路構成を説明する。この回路構成では、各振動素子１０及び１２に対応する分岐信号線４１上に、ディレイ回路５４とパルサ回路５６が設けられる。信号線４０から各ディレイ回路５４へは、デジタル信号のトリガ信号が供給される。このトリガ信号が、ディレイ回路５４で遅延された上で、パルサ回路５６に入力される。パルサ回路５６は、入力された信号に従って駆動パルスを生成し、振動素子１０又は１２に供給する。この回路構成において、各ディレイ回路５４の遅延量は、制御信号線５２からの制御信号により個別に制御可能となっている。ディレイ回路５４は、カウンタ及び比較器により容易に構成できる。例えば、ディレイ回路５４は、トリガ信号が入力されたときからカウンタによりクロック信号をカウントし、そのカウント値を制御信号で設定された遅延量の値と比較し、前者が後者に一致したタイミングでトリガ信号を後段のパルサ回路５６に出力する。パルサ回路５６は、従来より用いられているものでよく、トランジスタを用いて容易に構成することができる。
【００４５】
以上に説明した図４Ａ及び図４Ｂのいずれの構成でも、送受信共用素子１０とその周囲の送信専用素子１２群からなるグループの単位でのディレイ制御は、超音波診断装置本体からの駆動信号又はトリガ信号のタイミング制御によりなされている。図示したグループ内でのディレイ制御は、このグループ全体についての遅延量に対する個々の振動素子の差分を制御するだけなので、制御すべき遅延量自体が小さいため、容易に実現できる。
【００４６】
このように振動素子単位の送信信号のディレイ制御を行うことにより、送信超音波のサイドローブを大幅に軽減することができる。
【００４７】
なお、図４Ａ及び図４Ｂの各回路構成でも、各送信専用素子１２に対応するダイオードユニット３０は省略可能である。
【００４８】
以上、本発明の好適な実施の形態を説明したが、以上に説明した実施の形態は、本発明の具現化の一例に過ぎない。
【００４９】
例えば、以上では、超音波送信時に同時駆動する振動素子のグループとして、送受信共用素子１０とその周囲に隣接する８個の振動素子からなる９個の振動素子のグループを例示したが、これはあくまで一例である。この他に、例えば図５Ａに示す送受信共用素子１０とその上下左右に隣接する４つの振動素子からなる十字型の５素子のグループや、図５Ｂに示す送受信共用素子１０と縦又は横方向に両隣の２つの振動素子からなる３素子のグループなどを、送信時の同時駆動のグループとすることもできる。また、図５Ｃに示すように、送受信共用素子１０を中心とした５×５素子のグループなど、３×３素子よりも大きいサイズのグループを同時駆動のグループとして用いることも可能である。いずれの場合も、送信時に送受信共用素子１０と同時駆動する振動素子のグループは、その送受信共用素子１０を中心とする配置となるよう選択することが好ましい。
【００５０】
また、以上では送受信共用素子１０が一定素子間隔でレギュラー・スパースアレイ状に配列された２次元アレイを例に取ったが、送受信共用素子１０がランダム・スパースアレイのようにランダム配列された２次元アレイの場合でも、各送受信共用素子１０に対応する同時駆動のグループ同士が重なり合わないように配列できる場合には、上述の図２，図３，図４Ａ，図４Ｂに例示した回路構成を適用して、上述と同じ制御方式を適用することができる。
【００５１】
また、以上では振動素子群が正方マトリクス状に配列された２次元アレイを例にとって説明したが、正方マトリクス以外の配列パターン（例えばハニカム配列など）の２次元アレイにも、同様の方法が適用できる。
【００５２】
また、以上の例では、「中心振動素子」の例として、超音波の送信及び受信の両方に用いる送受信共用素子１０を例示したが、本発明では、このような場合に限らず、「中心振動素子」を超音波の受信専用の素子とする構成も含む。
【００５３】
このように「中心振動素子」を受信専用とするには、図２の回路構成の場合は、例えば信号線２０上の、該信号線２０と信号線２２との接続点と送受信共用素子１０との間にスイッチを設け、このスイッチを超音波送信時にはオフ（開）し、超音波受信時にはオンする制御を行えばよい。
【００５４】
また、図３の回路構成において、例えば、送信信号用の信号線４０を送受信共用素子１０に接続しない構成（すなわち素子１０は受信用の信号線４２のみと接続される）とすれば、該素子１０が受信専用の振動素子として機能する。この場合、送受信共用素子１０及び送信専用素子１２に対する各ダイオードユニット３０は省略してよい。
【図面の簡単な説明】
【００５５】
【図１】本発明に係る２次元アレイ超音波探触子のアレイ構成の一例を示す図である。
【図２】本発明に係る２次元アレイ超音波探触子の回路構成の一例を説明するための図である。
【図３】本発明に係る２次元アレイ超音波探触子の回路構成の別の一例を説明するための図である。
【図４Ａ】送信専用素子群のディレイ制御をアナログ制御で実現する回路構成の一例を説明するための図である。
【図４Ｂ】送信専用素子群のディレイ制御をデジタル制御で実現する回路構成の一例を説明するための図である。
【図５Ａ】送信時に同時駆動する振動素子のグループの例を示す図である。
【図５Ｂ】送信時に同時駆動する振動素子のグループの別の例を示す図である。
【図５Ｃ】送信時に同時駆動する振動素子のグループの更に別の例を示す図である。
【符号の説明】
【００５６】
１０  送受信共用素子、１２  送信専用素子、１５  同時駆動グループ、２０，２２  信号線、２４  スイッチ、２６  制御信号線。
【図１】
2005040376.tif 000003
【図２】
2005040376.tif 000004
【図３】
2005040376.tif 000005
【図４Ａ】
2005040376.tif 000006
【図４Ｂ】
2005040376.tif 000007
【図５Ａ】
2005040376.tif 000008
【図５Ｂ】
2005040376.tif 000009
【図５Ｃ】
2005040376.tif 000010